【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】
第１計算機に接続される第１チャネルインタフェースと、
第２計算機に接続される第２チャネルインタフェースと、
第１ディスク装置に接続される第１ディスクインタフェースと、
第２ディスク装置に接続される第２ディスクインタフェースと、
前記第１チャネルインタフェースと前記第２チャネルインタフェースと前記第１ディスクインタフェースと前記第２ディスクインタフェースとに接続され、前記第１ディスク装置と前記第２ディスク装置へアクセスされたデータを一時的に格納する複数のキャッシュメモリと、
前記第１チャネルインタフェースと前記第２チャネルインタフェースと前記第１ディスクインタフェースと前記第２ディスクインタフェースと前記複数のキャッシュメモリとに接続される複数のセレクタと、及び
前記第１チャネルインタフェース前記第２チャネルインタフェースと前記第１ディスクインタフェースと前記第２ディスクインタフェースと前記複数のキャッシュメモリと、前記複数のセレクタとを接続する物理的な複数のアクセスパスとを有し、
ここで、前記複数のアクセスパスの帯域が等しいことを特徴とする記憶システム。
【請求項２】
前記第１チャネルインタフェース、前記第２チャネルインタフェース、前記第１ディスクインタフェース、及び、前記第２ディスクインタフェースから前記複数のセレクタへのアクセスパスは、それぞれ２本であり、かつ、前記２本のアクセスパスはそれぞれ互いに別のセレクタへ接続されることを特徴とする請求項１記載の記憶システム。
【請求項３】
第１計算機に接続される第１チャネルインタフェースと、
第２計算機に接続される第２チャネルインタフェースと、
第１ディスク装置に接続される第１ディスクインタフェースと、
第２ディスク装置に接続される第２ディスクインタフェースと、
前記第１チャネルインタフェースと前記第２チャネルインタフェースと前記第１ディスクインタフェースと前記第２ディスクインタフェースとに接続され、前記第１ディスク装置と前記第２ディスク装置へアクセスされたデータを一時的に格納する複数のキャッシュメモリと、及び
前記第１チャネルインタフェースと前記第２チャネルインタフェースと前記第１ディスクインタフェースと前記第２ディスクインタフェースと前記複数のキャッシュメモリとを接続する相互結合網を有することを特徴とする記憶システム。
【請求項４】
前記相互結合網は、互いに結合された複数のスイッチから構成され、互いの前記スイッチ間の複数のアクセスパスの帯域は同じであることを特徴とする請求項３記載の記憶システム。
【請求項５】
第１計算機に接続される第１チャネルインタフェースと、
第２計算機に接続される第２チャネルインタフェースと、
第１ディスク装置に接続される第１ディスクインタフェースと、
第２ディスク装置に接続される第２ディスクインタフェースと、
前記第１チャネルインタフェースと前記第２チャネルインタフェースと前記第１ディスクインタフェースと前記第２ディスクインタフェースとに接続され、前記第１ディスク装置と前記第２ディスク装置へアクセスされたデータを一時的に格納するキャッシュメモリと、
前記第１チャネルインタフェースと前記第１ディスクインタフェースと前記キャッシュメモリとに接続される第１セレクタと、及び
前記第２チャネルインタフェースと前記第２ディスクインタフェースと前記キャッシュメモリとに接続される第２セレクタとを有し、
ここで、前記第１チャネルインタフェースと前記第１セレクタとの間の物理的なアクセスパスの帯域と、前記第１ディスクインタフェースと前記第１セレクタとの間の物理的なアクセスパスの帯域と、前記キャッシュメモリと前記第１セレクタとの間の物理的なアクセスパスの帯域とのそれぞれが、前記第２チャネルインタフェースと前記第２セレクタとの間の物理的なアクセスパスの帯域と、前記第２ディスクインタフェースと前記第２セレクタとの間の物理的なアクセスパスの帯域と、前記キャッシュメモリと前記第２セレクタとの間の物理的なアクセスパスの帯域とのそれぞれより、大きいことを特長とする記憶システム。
【請求項６】
前記第１および第２チャネルインタフェースと前記第１及び第２ディスクインタフェースが、それぞれ、２つの物理的アクセスパスで接続されていることを特徴とする請求項５記載の記憶システム。
【手続補正２】
【補正対象書類名】明細書
【補正対象項目名】００１５
【補正方法】変更
【補正の内容】
【００１５】
【課題を解決するための手段】
上記の課題を解決するため、本発明の記憶システムは、第１計算機に接続される第１チャネルインタフェースと、第２計算機に接続される第２チャネルインタフェースと、第１ディスク装置に接続される第１ディスクインタフェースと、第２ディスク装置に接続される第２ディスクインタフェースと、前記第１チャネルインタフェースと前記第２チャネルインタフェースと前記第１ディスクインタフェースと前記第２ディスクインタフェースとに接続され、前記第１ディスク装置と前記第２ディスク装置へアクセスされたデータを一時的に格納する複数のキャッシュメモリと、前記第１チャネルインタフェースと前記第２チャネルインタフェースと前記第１ディスクインタフェースと前記第２ディスクインタフェースと前記複数のキャッシュメモリとに接続される複数のセレクタと、及び前記第１チャネルインタフェース前記第２チャネルインタフェースと前記第１ディスクインタフェースと前記第２ディスクインタフェースと前記複数のキャッシュメモリと、前記複数のセレクタとを接続する物理的な複数のアクセスパスとを有し、ここで、前記複数のアクセスパスの帯域が等しいことを特徴とする。
【手続補正３】
【補正対象書類名】明細書
【補正対象項目名】００１６
【補正方法】変更
【補正の内容】
【００１６】
前記第１チャネルインタフェース、前記第２チャネルインタフェース、前記第１ディスクインタフェース、及び、前記第２ディスクインタフェースから前記複数のセレクタへのアクセスパスは、それぞれ２本であり、かつ、前記２本のアクセスパスはそれぞれ互いに別のセレクタへ接続されるのが望ましい。
【手続補正４】
【補正対象書類名】明細書
【補正対象項目名】００１７
【補正方法】変更
【補正の内容】
【００１７】
本発明の記憶システムは、第１計算機に接続される第１チャネルインタフェースと、第２計算機に接続される第２チャネルインタフェースと、第１ディスク装置に接続される第１ディスクインタフェースと、第２ディスク装置に接続される第２ディスクインタフェースと、前記第１チャネルインタフェースと前記第２チャネルインタフェースと前記第１ディスクインタフェースと前記第２ディスクインタフェースとに接続され、前記第１ディスク装置と前記第２ディスク装置へアクセスされたデータを一時的に格納する複数のキャッシュメモリと、及び前記第１チャネルインタフェースと前記第２チャネルインタフェースと前記第１ディスクインタフェースと前記第２ディスクインタフェースと前記複数のキャッシュメモリとを接続する相互結合網を有することを特徴とする。
【手続補正５】
【補正対象書類名】明細書
【補正対象項目名】００１８
【補正方法】変更
【補正の内容】
【００１８】
前記相互結合網は、互いに結合された複数のスイッチから構成され、互いの前記スイッチ間の複数のアクセスパスの帯域は同じであるのが好ましい。
【手続補正６】
【補正対象書類名】明細書
【補正対象項目名】００１９
【補正方法】変更
【補正の内容】
【００１９】
本発明の記憶システムは、第１計算機に接続される第１チャネルインタフェースと、第２計算機に接続される第２チャネルインタフェースと、第１ディスク装置に接続される第１ディスクインタフェースと、第２ディスク装置に接続される第２ディスクインタフェースと、前記第１チャネルインタフェースと前記第２チャネルインタフェースと前記第１ディスクインタフェースと前記第２ディスクインタフェースとに接続され、前記第１ディスク装置と前記第２ディスク装置へアクセスされたデータを一時的に格納するキャッシュメモリと、前記第１チャネルインタフェースと前記第１ディスクインタフェースと前記キャッシュメモリとに接続される第１セレクタと、及び前記第２チャネルインタフェースと前記第２ディスクインタフェースと前記キャッシュメモリとに接続される第２セレクタとを有し、ここで、前記第１チャネルインタフェースと前記第１セレクタとの間の物理的なアクセスパスの帯域と、前記第１ディスクインタフェースと前記第１セレクタとの間の物理的なアクセスパスの帯域と、前記キャッシュメモリと前記第１セレクタとの間の物理的なアクセスパスの帯域とのそれぞれが、前記第２チャネルインタフェースと前記第２セレクタとの間の物理的なアクセスパスの帯域と、前記第２ディスクインタフェースと前記第２セレクタとの間の物理的なアクセスパスの帯域と、前記キャッシュメモリと前記第２セレクタとの間の物理的なアクセスパスの帯域とのそれぞれより、大きいことを特長とする。
【手続補正７】
【補正対象書類名】明細書
【補正対象項目名】００２０
【補正方法】変更
【補正の内容】
【００２０】
前記第１および第２チャネルインタフェースと前記第１及び第２ディスクインタフェースが、それぞれ、２つの物理的アクセスパスで接続されているのが望ましい。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】